(57)【特許請求の範囲】
【請求項１】
複数の従局のデータを主局から上記従局に送出するシリアル伝送システムにおいて、
上記複数の従局に送出すべき複数のデータを、所定の順番でかつ１組で送出する第１の信号送出手段と；
上記複数の従局のうちの１つの従局に対応するアドレスを、上記複数のデータとともに送出する第２の信号送出手段と；
を有し、上記複数のデータのそれぞれのデータの長さが互いに同じであるとともに、上記複数のデータと上記アドレスとを１組で送出し、上記第２の信号送出手段は、上記１組の複数のデータとアドレスとを送出する度に、上記アドレスを順次変化させて送出する手段であることを特徴とするシリアル伝送システムにおける主局。
【請求項２】
請求項１において、
上記シリアル伝送システムの主局は、火災受信機の制御データを出力する出力ユニットであることを特徴とするシリアル伝送システムにおける主局。
【請求項３】
複数の従局のデータを主局から上記従局に送出するシリアル伝送システムにおいて、
上記主局は、複数の従局に所定の順番で送出すべきそれぞれのデータの長さが互いに同じである複数のデータと、上記複数の従局のうちの１つの従局に対応するアドレスとを１組で送出する送出手段を有する局であり、
上記各従局は、上記複数のデータと上記アドレスとによって構成されている１組の信号を上記主局から受信する受信手段と、上記受信手段が受信した上記複数のデータのうちで、所定番目のデータを自己のデータとして認識するデータ認識手段と、上記受信したアドレスと自己のアドレスとを比較するアドレス比較手段と、上記受信したアドレスが自己のアドレスである場合、上記主局に応答する応答手段とを有する局であり、上記主局が有する上記送出手段は、上記１組の複数のデータとアドレスとを送出する度に、上記アドレスを順次変化させて送出する手段であることを特徴とするシリアル伝送システム。
【請求項４】
請求項３において、
上記主局は、火災受信機の制御データを出力する出力ユニットであり、上記各従局は、上記制御データに応じて表示を行う表示ユニットであることを特徴とするシリアル伝送システム。
【発明の詳細な説明】
【０００１】
【発明の属する技術分野】
本発明は、火災報知設備の表示用のデータ送出に適するようなシリアル伝送システムにおける主局、従局に関するものである。
【０００２】
【従来の技術】
火災報知設備の火災受信機として、従来、いわゆる地区窓表示によって火災発生場所や防排煙設備の起動等を表しているシステムが知られている。この地区窓は、火災警戒区域に対応するように複数配置され、ＬＥＤの点灯状態によって、火災発生等を表示する。これら複数の地区窓を１つの表示ユニットとし、火災受信機盤内では、シリアル伝送システムによって表示データを伝送し、表示制御を行っている。
【０００３】
図４は、従来のシリアル伝送における基本伝送フォーマットの図である。
【０００４】
この従来のシリアル伝送において、１つの制御ユニットである主局に、ｎ個の表示ユニットである従局が接続され、これらｎ個の従局のそれぞれに、アドレスＡＤ１、ＡＤ２、〜、ＡＤｎが付与され、アドレスＡＤ１、ＡＤ２、〜、ＡＤｎの従局に、それぞれ表示用のデータＤ１、Ｄ２、〜、Ｄｎが主局から個別に送信され、また、従局から同じデータを返送することによって、主局と従局との間における断線も検出するものとする。
【０００５】
ここで、まず、アドレスＡＤ１と、アドレスＡＤ１が付与されている従局に送出するデータＤ１とを、主局が送出し、各従局がアドレスＡＤ１とデータＤ１とを受信し、アドレスＡＤ１が付与されている従局が自己のアドレスであることを識別し、アドレスＡＤ１とデータＤ１とを主局に返送するとともに、データＤ１に基づいて表示を行う。。
【０００６】
このように、アドレスＡＤ１とデータＤ１とが主局に返送されることによって、アドレスＡＤ１が付与されている従局と主局との間で断線が生じていないことを主局が認識することができる。
【０００７】
次に、アドレスＡＤ２と、アドレスＡＤ２が付与されている従局に送出するデータＤ２とを、主局が送出し、アドレスＡＤ２が付与されている従局が、アドレスＡＤ１の従局と同様に、アドレスＡＤ２とデータＤ２とを主局に返送するとともに、データＤ２に基づいて表示を行う。
【０００８】
上記と同様の動作を実行し、最後に、アドレスＡＤｎと、アドレスＡＤｎが付与されている従局に送出するデータＤｎとを、主局が送出し、アドレスＡＤｎが付与されている従局がアドレスＡＤｎとデータＤｎとを主局に返送する。
【０００９】
上記のように、主局と各従局との間で交信を行い、この過程で、主局から各従局へ必要なデータが配信されるとともに、所定の従局が返送したデータを主局が受信することによって、上記所定の従局と主局との間の回線に断線が発生していないことを、主局が確認することができる。また、上記従来例において、応答内容が正常であれば、上記所定の従局が正常に動作していることを、主局が確認することができる。
【００１０】
【発明が解決しようとする課題】
また、上記従来例において、所定の従局から返送信号が返送されない場合には、その所定の従局について、そのアドレスとデータとを、所定回数、送出する。たとえば、図４（２）に示すように、アドレスＡＤ１とデータＤ１とを、主局が送出した後、アドレスＡＤ１とデータＤ１とが返送されない場合（正常に応答されない場合）、主局は、アドレスＡＤ１とデータＤ１とを再び送出する。
【００１１】
したがって、上記従来例において、所定の従局から返送信号が返送されない場合には、以後における従局へのデータ送出が遅れる。また、返送信号を返送しない従局の数が多い程、最後の従局へ送出されるデータ転送の遅れ時間が長くなるという問題がある。これは、火災発生時にデータ送出が遅れることになり、ベルの鳴動があっても、火災受信機の盤面において、火災地区の表示が遅れ、火災発生場所の確認が遅れてしまう。
【００１２】
特に、従局が、主局から受信した信号に基づいて、点灯等の表示を実行する場合、最初に受信した従局と、最後に受信する従局とのタイミングのずれが大きくなる。
【００１３】
たとえば、上記複数の従局が表示灯であり、１つの表示盤に上記複数の表示灯が集められている場合、所定の従局（表示灯）が何等かの事情によって主局への返送が遅くなったときに、最初に応答すべき従局に対応する作動表示灯が点灯してから、最後に応答すべき従局に対応する作動表示灯が点灯するまでの時間差が目立ち、表示動作が見た目に不自然であるという問題がある。
【００１４】
本発明は、１つの主局と複数の従局との間で交信を繰り返し、主局と従局との間の断線を検出することができ、また、各従局の状態を個別に表示する作動表示灯が、主局の表示盤等に設けられているシリアル伝送方式において、最初に応答すべき従局に対応する作動表示灯が点灯してから、最後に応答すべき従局に対応する作動表示灯が点灯するまでの時間差が少なく、見た目における表示動作の不自然さを排除することができるシリアル伝送システムにおける主局および従局を提供することを目的とするものである。
【００１５】
【課題を解決するための手段】
本発明は、従局のアドレスとデータとを主局から上記従局に送出するシリアル伝送システムにおいて、複数の従局に送出すべき複数のデータを、所定の順番でかつ１組で送出する第１の信号送出手段と、上記複数の従局のうちの１つの従局に対応するアドレスを、上記複数のデータとともに送出する第２の信号送出手段とを有し、上記複数のデータのそれぞれのデータの長さが互いに同じであり、また、上記第２の信号送出手段は、上記１組の複数のデータとアドレスとを送出する度に、上記アドレスを順次変化させて送出する手段であるシリアル伝送システムである。
【００１６】
【発明の実施の形態および実施例】
図１は、本発明の一実施例である火災受信機ＲＥを示すブロック図である。
【００１７】
火災受信機ＲＥは、受信機ＲＥの全体を制御するメインユニットＭＵと、電源ユニットＰＳと、火災信号を受信するユニットＦＬＵと、防排煙機器を制御するユニットＳＬＵと、無電圧接点を検出するユニットＲＯＵと、ガス漏れを検出するユニットＧＬＵと、ＬＥＤユニットＬＰＵ１、ＬＰＵ２、〜、ＬＰＵｎと、ＬＥＤユニットＬＰＵ１、ＬＰＵ２、〜、ＬＰＵｎを制御するスイッチユニットＳＷＵとを有する。
【００１８】
火災信号を受信するユニットＦＬＵには、２０個の回線Ｌ１〜Ｌ２０が接続され、各回線には火災感知器等が接続されている。
【００１９】
また、防排煙機器を制御するユニットＳＬＵには、２０個の防排煙用の回線ＬＳ１〜ＬＳ２０が接続され、各回線には防排煙機器等の被制御機器が接続されている。
【００２０】
なお、図面の都合上、ユニットＦＬＵを１台のみ図示し、ユニットＳＬＵを１台のみ図示してあるが、実際には、それぞれが複数台であることがあり、ユニットＦＬＵ、ＳＬＵのうちで、少なくとも一方のユニットの台数と、ＬＥＤユニットＬＰＵの設置台数とが同じである。なお、回線Ｌ、回線ＬＳのうちで多い方の回線数以上の数の火災灯または作動灯が設けられている。
【００２１】
スイッチユニットＳＷＵは、シリアル伝送システムにおける主局であり、スイッチユニットＳＷＵの全体を制御するマイクロプロセッサＭＰＵと、送受信回路ＴＲと、ＳＷ灯（スイッチ表示灯）、ＳＷ（スイッチ）、７セグメント表示装置とを有するものである。
【００２２】
ＬＥＤユニットＬＰＵ１、ＬＰＵ２、〜、ＬＰＵｎのそれぞれは、シリアル伝送システムにおける従局であり、ＬＥＤユニットＬＰＵ１、ＬＰＵ２、〜、ＬＰＵｎのそれぞれに、アドレスＡＤ１、ＡＤ２、〜、ＡＤｎが付与されている。
【００２３】
ＬＥＤユニットＬＰＵ１は、マイクロプロセッサＭＰＵ１と、送受信回路ＴＲ１と、２０個の火災灯と、２０個の作動灯とを有するものである。２０個のうちの火災灯のそれぞれは、回線Ｌ１〜Ｌ２０のいずれかに個別に対応している。２０個の作動灯のそれぞれも、防排煙用の回線ＬＳ１〜ＬＳ２０のそれぞれに対応している。
【００２４】
また、ＬＥＤユニットＬＰＵ２は、ＬＥＤユニットＬＰＵ１と同様に、マイクロプロセッサＭＰＵ２と、送受信回路ＴＲ２と、２０個の火災灯と２０個の作動灯とを有するものである。ＬＥＤユニットＬＰＵ３、〜、ＬＰＵｎのそれぞれも、ＬＥＤユニットＬＰＵ１における上記構成と同様の構成を有する。
【００２５】
また、送受信回路ＴＲとマイクロプロセッサＭＰＵとは、複数の従局に送出すべき複数のデータを、所定の順番で送出する第１の信号送出手段の例である。さらに、送受信回路ＴＲとマイクロプロセッサＭＰＵとは、上記複数の従局のうちの１つの従局に対応するアドレスを、上記複数のデータとともに送出する第２の信号送出手段の例である。また、複数のデータのそれぞれのデータの長さが互いに同じになるように設定されている。
【００２６】
また、ＬＥＤユニットＬＰＵ１に着目すると、送受信回路ＴＲ１は、主局から送出されデータの長さが互いに同じである複数のデータＤ１〜Ｄ２０と、複数の従局のうちの１つの従局に対応するアドレスＡＤ１とを受信する受信手段の例である。ここで、データＤ１は、４０ビットで構成され、ビット０、１、２、〜、１９は、それぞれ、回線Ｌ１、Ｌ２、Ｌ３、〜、Ｌ２０に対応し、所定回線で火災信号が発生していれば、その所定回線に対応するビットが「１」になる。ビット２０、２１、２２、〜、３９は、それぞれ、回線ＬＳ１、ＬＳ２、ＬＳ３、〜、ＬＳ２０に対応し、所定回線で防排煙が作動していれば、その所定回線に対応するビットが「１」になる。データＤ２、〜、Ｄｎの構成も、データＤ１の構成と同様である。
【００２７】
マイクロプロセッサＭＰＵ１は、受信手段が受信した上記複数のデータのデータのうちで、所定番目のデータ、ここでは自己のアドレスに基づいたデータを自己のデータとして認識するデータ認識手段の例である。マイクロプロセッサＭＰＵ１は、１番目のデータ（データＤ１）を自己のデータとして認識する。なお、マイクロプロセッサＭＰＵ２、ＭＰＵｎは、それぞれ、２番目のデータ（データＤ２）、ｎ番目のデータ（データＤｎ）を自己のデータとして認識する。
【００２８】
また、マイクロプロセッサＭＰＵ１は、上記受信したアドレスと自己のアドレスとを比較するアドレス比較手段の例である。
【００２９】
マイクロプロセッサＭＰＵ１と送受信回路ＴＲ１とは、上記受信したアドレスが自己のアドレスである場合、上記主局に応答する応答手段の例である。
【００３０】
図２は、上記実施例における基本伝送フォーマットを示す図である。
【００３１】
図２に示す基本伝送フォーマットは、スイッチユニット（主局）ＳＷＵが送出する信号と、ＬＥＤユニット（従局）が送出する信号とで構成され、図２において、スイッチユニットＳＷＵが送出する信号は横線の上に記載され、ＬＥＤユニットが送出する信号は横線の下に記載されている。また、図２において、左から右に向って時間が変化し、１段目の次に、２段目に移る（後述の図３においても、図２と同じようにして時間が変化する）。
【００３２】
スイッチユニットＳＷＵは、１つのＬＥＤユニットに対応するアドレスと、アドレスＡＤ１〜ＡＤｎのそれぞれに対応するＬＥＤユニットに送出すべき全ての点灯データＤ１〜Ｄｎとを連続して送出する。そのアドレスに対応するＬＥＤユニットが、自己アドレスと肯定応答ＡＣＫとをスイッチユニットＳＷＵに返送することによって応答する。
【００３３】
そして、スイッチユニットＳＷＵは、別のＬＥＤユニットに対応するアドレスと、アドレスＡＤ１〜ＡＤｎのそれぞれに対応するＬＥＤユニットに送出すべき全ての点灯データＤ１〜Ｄｎとを連続して送出する。そのアドレスに対応するＬＥＤユニットが、自己アドレスと肯定応答ＡＣＫとをスイッチユニットＳＷＵに返送する。
【００３４】
上記と同様の動作を、ＬＥＤユニットＬＰＵｎについてまで実行し、順次循環的に変化させる。
【００３５】
次に、上記実施例の動作について説明する。
【００３６】
まず、スイッチユニットＳＷＵ（主局）から、１つ目のアドレスＡＤ１とＡＤ１〜ＡＤｎ用点灯データＤ１〜Ｄｎが送出される。これによって、ＬＥＤユニットＬＰＵ１〜ＬＰＵｎが、ＡＤ１〜ＡＤｎ用点灯データＤ１〜Ｄｎを受信し、ＬＥＤユニットＬＰＵ１は、１つ目の点灯データＤ１を自己のデータとして取り込み、ＬＥＤユニットＬＰＵ２は、２つ目の点灯データＤ２を自己のデータとして取り込み、……ＬＥＤユニットＬＰＵｎは、ｎ個目の点灯データＤｎを自己のデータとして取り込む。
【００３７】
上記実施例においては、アドレスＡＤ１〜ＡＤｎの従局に送るべきデータを一括して送出するので、どの従局に対するデータの変化があっても、同じタイミングで全ての従局にデータを送出することができ、最初に応答すべき従局に対応する作動表示灯が点灯してから、最後に応答すべき従局に対応する作動表示灯が点灯するまでの時間差が少なく、見た目における表示動作の不自然さを排除することができる。
【００３８】
ここで、ＬＥＤユニットＬＰＵ１は、受信したアドレスが自己のアドレスＡＤ１と同じであると判断し、自己のアドレスＡＤ１と肯定応答ＡＣＫとをスイッチユニットＳＷＵに返送する。
【００３９】
つぎに、スイッチユニットＳＷＵ（主局）から、２つ目のアドレスＡＤ２とＡＤ１〜ＡＤｎ用点灯データＤ１〜Ｄｎが送出される。これによって、ＬＥＤユニットＬＰＵ１〜ＬＰＵｎが、ＡＤ１〜ＡＤｎ用点灯データＤ１〜Ｄｎを受信し、ＬＥＤユニットＬＰＵ２は、２つ目の点灯データＤ２を自己のデータとして取り込み、ＬＥＤユニットＬＰＵ３は、３つ目の点灯データＤ３を自己のデータとして取り込み、……ＬＥＤユニットＬＰＵｎは、ｎ個目の点灯データＤｎを自己のデータとして取り込む。
【００４０】
ここで、ＬＥＤユニットＬＰＵ２は、受信したアドレスが自己のアドレスＡＤ２と同じであると判断し、自己のアドレスＡＤ２と肯定応答ＡＣＫとをスイッチユニットＳＷＵに返送する。
【００４１】
上記のようにして、スイッチユニットＳＷＵは、アドレスを変化させながら、ＡＤ１〜ＡＤｎ用点灯データＤ１〜Ｄｎをひとまとめにして送出する。
【００４２】
なお、図２に示す基本伝送フォーマットにおいて、アドレスが、ＡＤ１〜ＡＤｎ用点灯データの先頭に配置されているが、アドレスを、ＡＤ１〜ＡＤｎ用点灯データの最後尾、または、ＡＤ１〜ＡＤｎ用点灯データの途中に配置させるようにしてもよい。
【００４３】
図３は、本発明における別の基本フォーマットを示す図である。
【００４４】
図３に示すフォーマットは、アドレスを変化させながら、ＡＤ１〜ＡＤｎ用データ（複数のデータ）をひとまとめにして送出する点は図２に示すフォーマットと同じであるが、点灯データだけではなく、点滅データをも一括して送出する点が、図２に示すフォーマットとは異なる。
【００４５】
つまり、アドレスの次に、ＡＤ１〜ＡＤｎ用の点灯・点滅データを一括して送出する。具体的には、ＡＤ１用点灯データＤ１1 、ＡＤ１用点滅データＤ１2 、ＡＤ２用点灯データＤ２1 、ＡＤ２用点滅データＤ２2 、〜、ＡＤｎ用点灯データＤｎ1 、ＡＤｎ用点滅データＤｎ2 を一括して送出する。
【００４６】
したがって、上記実施例によれば、１つの主局と複数の従局との間で交信を繰り返し、主局と従局との間の断線を検出し、また、各従局の状態を個別に表示する作動表示灯が、主局の表示盤等に設けられているシリアル伝送方式において、表示内容の変化に基づいて主局から各従局にデータを送信するタイミングの遅れがなく、最初に応答すべき従局に対応する作動表示灯が点灯してから、最後に応答すべき従局に対応する作動表示灯が点灯するまでの時間差が少なく、見た目における表示動作の不自然さを排除することができる。
【００４７】
なお、上記実施例は火災報知設備に関するものであるが、上記実施例を、火災報知設備以外のシリアル伝送システムに適用することができる。この場合、一般的に表現すると、スイッチユニットＳＷＵは主局であり、ＬＥＤユニット等の端末装置は従局である。
【００４８】
火災受信機ＲＥを方法の発明として把握すると、上記実施例は、従局のアドレスとデータとを主局から上記従局に送出するシリアル伝送システムにおいて、複数の従局に送出すべき複数のデータのそれぞれの長さを互いに同じ長さに設定する段階と、上記複数のデータを、所定の順番で送出する第１の信号送出段階と、上記複数の従局のうちの１つの従局に対応するアドレスを、上記複数のデータとともに送出する第２の信号送出段階とを有するシリアル伝送方法である。
【００４９】
また、上記実施例において、スイッチユニットＳＷＵが送出する信号の前に、データ介しキャラクタを送出するようにしてもよく、否定応答する場合には、肯定応答ＡＣＫの代わりに、否定応答ＮＡＫを送出する。
【００５０】
また、スイッチユニットＳＷＵが送出する信号の後にサムチェックを付加するようにしてもよく、ＬＥＤユニットが返送するアドレス、肯定応答ＡＣＫの後に、サムチェックを付加するようにしてもよい。なお、スイッチユニットＳＷＵが送出する信号の後に付加するサムチェックは、たとえば、アドレス＋データＤ１〜Ｄｎのビット数であり、ＬＥＤユニットが返送するアドレス、肯定応答ＡＣＫの後に付加するサムチェックは、たとえば、アドレス＋肯定応答ＡＣＫのビット数である。
【００５１】
【発明の効果】
本発明によれば、１つの主局と複数の従局との間で交信を繰り返し、主局と従局との間の断線を検出することができ、また、各従局の状態を個別に表示する作動表示灯が、主局の表示盤等に設けられているシリアル伝送方式において、最初に応答すべき従局に対応する作動表示灯が点灯してから、最後に応答すべき従局に対応する作動表示灯が点灯するまでの時間差が少なく、見た目における表示動作の不自然さを排除することができるという効果を奏する。
【図面の簡単な説明】
【図１】本発明の一実施例である火災受信機ＲＥを示すブロック図である。
【図２】上記実施例における基本伝送フォーマットを示す図である。
【図３】本発明における別の基本フォーマットを示す図である。
【図４】従来のシリアル伝送における基本伝送フォーマットの図である。
【符号の説明】
ＲＥ…火災受信機、
ＭＵ…メインユニット、
ＰＳ…電源ユニット、
ＦＬＵ…火災信号を受信するユニット、
ＳＬＵ…防排煙機器を制御するユニット、
ＬＰＵ１、ＬＰＵ２、〜、ＬＰＵｎ…ＬＥＤユニット、
ＳＷＵ…スイッチユニット、
Ｌ１〜Ｌ２０…回線、
ＭＰＵ、ＭＰＵ１〜ＭＰＵｎ…マイクロプロセッサ、
ＴＲ、ＴＲ１〜ＴＲｎ…送受信回路。
【図１】
0003859368.tif 000002
【図２】
0003859368.tif 000003
【図３】
0003859368.tif 000004
【図４】
0003859368.tif 000005